(57)【要約】【課題】  画像読取装置の操作部では、読取った画像データの格納場所が確認できなかった。【解決手段】  画像読取装置に表示部を設け、インタフェースを介して接続したコンピュータで、読取画像データの格納場所と画像読取装置での表示データを登録する。登録した表示データを画像読取装置の表示部で表示し、登録された格納場所を確認して読取開始の指示を行うことができる。表示データをビットマップデータとすることで簡単な構成で各国語表示に対応することができる。【選択図】  図３
2006157249.tif 000002
【特許請求の範囲】
【請求項１】
画像読取装置と画像処理装置による画像読取システムの制御方法であって、
前記画像処理装置にて、画像ファイル格納部に対応する前記画像読取装置の表示部での表示データを作成する表示データ作成工程と、
前記画像処理装置から前記画像読取装置へ前記表示データを送る表示データ送付工程と、
前記表示データ送付工程にて送付された前記表示データを前記画像読取装置の表示部で表示し前記画像読取装置の操作部で選択する表示選択工程と、
前記操作部で画像読取の開始を指示する読取開始指示工程と、
前記表示選択工程で前記表示データが選択されたことを、前記画像読取装置から前記画像処理装置へ通知する表示選択通知工程と、
読取開始指示工程に応じて前記画像読取装置にて画像の読取りを行う画像読取工程と、
前記画像読取装置から、前記画像読取工程で読取った画像データを前記画像処理装置に送る読取画像データ送付工程と、
前記画像処理装置にて、前記読取画像データ送付工程で送られてきた画像データを、前記表示選択通知工程で通知された前記表示データに対応する画像ファイル格納部に、画像データファイルとして格納することを特徴とする画像読取システム制御方法。
【請求項２】
前記画像ファイル格納部は、前記画像処理装置から格納可能な記憶装置に在ることを特徴とする請求項１に記載の制御方法。
【請求項３】
前記表示データは、前記画像読取装置の表示部に表示するためのビットマップ表示データであることを特徴とする請求項１に記載の制御方法。
【請求項４】
前記表示データは、前記画像ファイル格納部のフォルダ名を表示するためのデータであることを特徴とする請求項１に記載の制御方法。
【請求項５】
前記表示データは、更に前記画像ファイル格納部のパスを表示するためのデータを含むことを特徴とする請求項４に記載の制御方法。
【請求項６】
画像読取装置と画像処理装置による画像読取システムの制御方法であって、
前記画像処理装置にて、前記画像読取装置の表示部でのビットマップ表示データを作成する表示データ作成工程と、
前記画像処理装置から前記画像読取装置へ前記表示データを送る表示データ送付工程と、
前記表示データ送付工程にて送付された前記表示データを前記画像読取装置の表示部で表示し前記画像読取装置の操作部で選択する表示選択工程と、
前記表示選択工程で前記表示データが選択されたことを、前記画像読取装置から前記画像処理装置へ通知する表示選択通知工程と、
前記画像処理装置にて、前記表示選択通知工程で通知された前記表示データに対応した処理を行うことを特徴とする画像読取システム制御方法。
【請求項７】
前記ビットマップ表示データは、前記画像処理装置のオペレーティングシステムが管理するフォントデータを用いて作成することを特徴とする請求項３または６に記載の制御方法。
【請求項８】
前記表示選択工程は、前記画像読取装置が保持する複数の前記表示データのうちの１つの表示データを選択することを特徴とする請求項１または６に記載の制御方法。
【請求項９】
前記表示選択工程は、前記画像読取装置の操作部からの表示変更指示入力を前記画像処理装置に通知する表示変更指示通知工程を有し、前記表示変更指示通知工程における通知に従って複数の前記表示データのうちの１つの表示データを前記表示データ送付工程にて前記画像処理装置から前記画像読取装置に送付し、前記表示部に表示し、前記操作部にて選択することを特徴とする請求項１または６に記載の制御方法。
【請求項１０】
請求項１または６に記載の制御方法を、コンピュータを用いた前記画像処理装置で画像読取装置を制御することにより実施するための前記画像処理装置で実行可能なプログラム。
【請求項１１】
インタフェースを介して接続された外部装置からの制御により画像の読取を行い、読取った画像データを前記インタフェースを介して前記外部装置に送信する画像読取装置において、操作表示部にビットマップ表示ができる表示器を有し、前記インタフェースを介して前記外部装置から送付されたビットマップデータを前記表示器に表示することを特徴とする画像読取装置。
【請求項１２】
前記ビットマップデータを複数保持し、前記操作表示部からの操作により複数の前記ビットマップデータを選択可能で、複数の前記ビットマップデータのうち何れが選択されたかの情報を前記インタフェースを介して前記外部装置に通知することを特徴とする請求項１１に記載の画像読取装置。
【発明の詳細な説明】
【技術分野】
【０００１】
本発明は、表示部と操作入力部を備えた画像読取装置と画像処理装置における画像読取方法に関する。
【背景技術】
【０００２】
従来、この種の画像読取装置においては、備えられているボタン毎に画像読取の設定を行うことができ、ボタンを押下することによって所望の設定で画像の読取を行うことができた。
【０００３】
図１２（１）は画像読取装置の外観を表した図である。図１２（１）において、１２０１はセットした原稿を押さえるための原稿台カバー、１２０２はフィルム読取り光源部を保護するための保護シート、１２０３はフィルムを照明するフィルム読取り光源部、１２０４は原稿を読取る原稿読取りユニット、１２０５は読取原稿を置く原稿台ガラス、１２０７は原稿位置合わせマークを表している。反射原稿の場合、原稿台１２０５の上に原稿を置き、原稿読取ユニット１２０４により原稿を読取る。画像読取装置は、コンピュータ１５０（図示せず）とＵＳＢ等のインタフェースで接続する。
【０００４】
図１２（２）は１２０６を拡大した図である。１２１１〜１２１４のスキャナボタンを押した場合の画像読取動作の設定を、コンピュータ１２１０側のソフトウェアにあらかじめ登録することができる。１２１１のＣＯＰＹボタンに対しては、読取条件とプリンタを設定し、ＣＯＰＹボタンの押下で、設定した条件で原稿をスキャンし、指定したプリンタに出力する。１２１２のＳＣＡＮボタンに対しては、原稿の種類、スキャンモード、原稿のサイズ、解像度を設定し、また保存するファイル形式やファイル名、ファイルの保存先と保存したファイルを開くアプリケーションを設定する。１２１３のＰＤＦボタンに対しては、１２１２のＳＣＡＮボタンと同様の設定が可能であり、さらに、保存されるファイル形式をＰＤＦとする。１２１４のＥ−ＭＡＩＬボタンに対しては、１２１２のＳＣＡＮボタンと同様の設定で、起動するアプリケーションにメールソフトを選択しておけば、Ｅ−ＭＡＩＬボタンの押下により、新規送信メールに読取画像を添付することができる。
【０００５】
これら１２１１〜１２１４のスキャナボタンを押すと外部機器のコンピュータ１５０と通信を行い、設定されている条件で画像を読取り、登録してあるアプリケーションを起動して、読取った画像を渡すことができる。
【０００６】
また、読取った画像を、画像読取装置とネットワークで繋がったコンピュータへ直接送付する装置に関する特許出願（例えば特許文献１、２）があり、どのコンピュータに送付するのかを選択することができる画像読取装置に関するものである。
【特許文献１】米国特許公開２００３／００４３４２３号公報
【特許文献２】米国特許公開２００３／００４８３０３号公報
【発明の開示】
【発明が解決しようとする課題】
【０００７】
画像読取装置の操作部では、ＳＣＡＮボタンや、ＰＤＦボタンを押すだけでは、画像ファイルが格納されるフォルダを確認することができなかった。また、画像ファイルを送付するコンピュータを確認できる画像読取装置があったが、１台のコンピュータに１つのフォルダを宛てることができるのみで、かつ、送付先のコンピュータの登録を画像読取装置で行うもので、画像読取装置の操作部や制御部が複雑であった。特に、多国語での表示を行うには、各国語の文字フォントを画像読取装置で保持しておく必要があった。
【課題を解決するための手段】
【０００８】
上記の課題を解決するため、本発明は、画像読取装置と画像処理装置による画像読取システムの制御方法であって、前記画像処理装置にて、画像ファイル格納部に対応する前記画像読取装置の表示部での表示データを作成する表示データ作成工程と、前記画像処理装置から前記画像読取装置へ前記表示データを送る表示データ送付工程と、前記表示データ送付工程にて送付された前記表示データを前記画像読取装置の表示部で表示し前記画像読取装置の操作部で選択する表示選択工程と、前記操作部で画像読取の開始を指示する読取開始指示工程と、前記表示選択工程で前記表示データが選択されたことを、前記画像読取装置から前記画像処理装置へ通知する表示選択通知工程と、読取開始指示工程に応じて前記画像読取装置にて画像の読取りを行う画像読取工程と、前記画像読取装置から、前記画像読取工程で読取った画像データを前記画像処理装置に送る読取画像データ送付工程と、前記画像処理装置にて、前記読取画像データ送付工程で送られてきた画像データを、前記表示選択通知工程で通知された前記表示データに対応する画像ファイル格納部に、画像データファイルとして格納することを特徴とする画像読取システム制御方法である。
【０００９】
また、画像読取装置と画像処理装置による画像読取システムの制御方法であって、前記画像処理装置にて、前記画像読取装置の表示部でのビットマップ表示データを作成する表示データ作成工程と、前記画像処理装置から前記画像読取装置へ前記表示データを送る表示データ送付工程と、前記表示データ送付工程にて送付された前記表示データを前記画像読取装置の表示部で表示し前記画像読取装置の操作部で選択する表示選択工程と、前記表示選択工程で前記表示データが選択されたことを、前記画像読取装置から前記画像処理装置へ通知する表示選択通知工程と、前記画像処理装置にて、前記表示選択通知工程で通知された前記表示データに対応した処理を行うことを特徴とする画像読取システム制御方法である。
【００１０】
また、インタフェースを介して接続された外部装置からの制御により画像の読取を行う画像読取装置において、操作表示部にビットマップ表示ができる表示器を有し、前記インタフェースを介して前記外部装置から送付されたビットマップデータを前記表示器に表示することを特徴とする画像読取装置である。
【発明の効果】
【００１１】
本発明の請求項１によれば、画像処理装置で登録しておいた画像データの格納場所を、画像読取装置の操作部で選択し確認してから画像読取りを開始することができる。また、本発明の請求項６、１１によれば、画像読取装置の表示部での表示データを画像処理装置で作成登録することができるので、簡単な構成の画像読取装置とすることができる。
【発明を実施するための最良の形態】
【００１２】
（実施例１）
図１に画像読取装置と画像処理装置としてのコンピュータの構成を示すブロック図を示す。図１において、１００は画像読取装置、１０１は原稿であり、１１１の内部光源から照射された原稿からの光は、１０２の結象レンズを通して、１０３の固体撮像素子であるＣＣＤ上に結象する。１１０は内部光源１１１のＯＮ／ＯＦＦを制御するための内部光源ＯＮ／ＯＦＦ制御回路である。なお、撮像素子はＣＣＤ以外にＣＯＭＳ等を使用することもできる。次に１０４はアナログゲイン調整器であり、ＣＣＤラインセンサ１０３から出力されたアナログ画像信号を可変増幅する。光源１１１、結像レンズ１０２、ＣＣＤ１０３は画像読取ユニットを構成し、パルスモータ１１３により原稿に対して副走査方向に移動する。また、１１２はパルスモータ１１３を駆動するモータドライバ回路であり、画像読取装置１００のシステム制御手段であるスキャナコントローラ１０９からの信号によりパルスモータ１１３の励磁切替え信号を出力する。１０５はＡ／Ｄ変換器であり、アナログゲイン調整器１０４から出力されたアナログ画像信号をディジタル画像信号に変換する。１０６は画像処理回路であり、ディジタル信号化された画像信号に対してオフセット補正、シェーディング補正、デジタルゲイン調整、カラーバランス調整、マスキング、主・副走査方向の解像度変換等の画像処理を行う。１０７はラインバッファであり、画像データを一時的に記憶する部分であり、汎用のＲＡＭで実現している。１０８はインタフェース回路であり、コンピュータ等の外部機器１５０と通信するためのものである。ＳＣＳＩ、パラレル、ＵＳＢ、ＩＥＥＥ１３９４等のインタフェースが使用される。１１４は画像処理を行う際のワーキングエリアとして用いられるオフセットＲＡＭである。このオフセットＲＡＭ１１４は、ラインセンサ１０３がＲＧＢ用ラインセンサを各々所定のオフセットを持って平行に配置されているので、そのＲＧＢライン間オフセットの補正用として用いられる。また、オフセットＲＡＭ１１４は、シェーディング補正等の各種データの一時記憶も行う。ここでは汎用のＲＡＭで実現している。１１５はガンマカーブを記憶し、ガンマ補正を行うためのガンマＲＡＭである。１０９は外部機器１５０からの命令にしたがってスキャナを制御するスキャナコントローラであり、モータドライバ回路１１２、内部光源ＯＮ／ＯＦＦ制御回路１１０、画像処理回路１０６等を制御する。また、１１８は画像読取装置１００の操作部に表示されるＬＣＤである。１１９はＬＣＤに表示するデータを書き込むＶＲＡＭである。このＬＣＤ１１８に表示する情報、およびＶＲＡＭ１１９は、スキャナコントローラ１０９によって制御される。１２０は、操作入力部であり、複数の押ボタンで構成されている。外部機器である１５０はホストコンピュータであり、モニタ１５１と接続されている。
【００１３】
図２に本実施例における画像読取装置１００の平面図を示す。２０１は画像読取装置１００の枠体、２０２はセンサユニット、２０３はセンサユニットを副走査方向へ移動する基準となる基準軸、２０４はセンサユニット２０２に接続され基準軸に沿い動作させるための動作ベルト、１１３はステッピングモータ、２０６はモータからの駆動をベルトに伝えるためのギア群である。
【００１４】
外部機器からスキャン命令を受けた画像読取装置のスキャナコントローラは、モータ１１３を駆動し、ギア群２０６を介してベルトを駆動する。これによりセンサユニット２０２が基準軸２０３に沿って副操作方向へ移動して画像を読み取る。
【００１５】
２０７は基板であり、２０８はＵＳＢの接続コネクタ、２１０はセンサユニット２０２と基板２０７を接続するためのフラットケーブル、２１１は外部電源であるＡＣアダプタの接続用コネクタである。
【００１６】
図３（１）は画像読取装置１００の操作部の図である。３０１〜３０４は操作入力部１２０のスキャナボタンであり、これらのボタンを押下すると、夫々のボタンに対して設定された条件にて原稿をスキャンする。（詳細は後述する。）３０５は読取画像の保存先フォルダを表示するための液晶表示器（以下ＬＣＤ）である。３０６は複数のＰＤＦボタンであり、これらのボタンを押すことによって、ＬＣＤ３０５に表示される「保存先フォルダ」の文字列が切り替わる。ＳＴＡＲＴボタン３０４を押すとスキャンが開始され、ＬＣＤに表示されている保存先フォルダに読取画像が保存される。
【００１７】
図４には画像読取装置１００を制御するためのプログラムの構造を示す。４０１はＴＷＡＩＮ規格に対応したアプリケーションで、スキャナボタン３０１〜３０４の機能の設定や各種フォーマットでファイルを保存するファイル作成ソフトである。ＴＷＡＩＮドライバ３０２経由で画像読取装置１００から画像を読取り、ユーザの指示により画像を処理し、保存する機能を有する。ＴＷＡＩＮドライバ４０２はＴＷＡＩＮ規格に従い、ＴＷＡＩＮ対応アプリケーションに画像読取装置１００からの画像を渡すと共に、独自のＧＵＩ（グラフィック・ユーザ・インタフェース）を表示することもできる。ＧＵＩはプレビュー、プレビュー画像に対するクロップエリアの指定、解像度の設定、読取りモード（２値、８ビット多値、２４ビット多値等）の設定、ガンマ補正等の色調整の設定等を行う機能を有する。デバイスドライバ４０３は、画像読取装置１００の各モジュールの制御レジスタにアクセスし、シェーディングの制御、解像度やクロップ範囲に応じたモータスピードの設定、ＴＷＡＩＮドライバから受け取ったガンマ補正データの画像読取装置１００への送信処理、画像読取りのためのフロー制御を行う。ポートドライバ４０４はパラレル・インタフェース、ＳＣＳＩインタフェース、ＵＳＢインタフェース、ＩＥＥＥ１３９４インタフェース等のインタフェースに応じて画像読取装置１００との通信制御を行う。４０５はＷｉｎｄｏｗｓ（登録商標）等の、ホストコンピュータ１５０のオペレーティングシステム（ＯＳ）である。ボタンモニタ４０６は、画像読取装置１００の操作部にあるボタンが押されたかを検知するモジュールであり、ある一定間隔のタイミングで、ボタンが押されたかを常に検知している。ボタンが押されたことを検知すると、押されたボタンの情報をファイル作成ソフト４０１に通知し、ファイル作成ソフトはボタンごとに設定されている条件でＴＷＡＩＮドライバ３０２経由にて画像読取を行う。
【００１８】
図５（１）は画像読取装置で読み込みを行う際に表示されるファイル作成ソフト４０１のユーザ・インタフェースであり、ここでは、ＰＤＦ１〜１０のボタンの設定画面を示している。
【００１９】
５０１はスキャンモード（カラー／グレー／白黒）を選択するプルダウンリスト、５０２は解像度を選択するプルダウンリスト、５０３は原稿サイズを選択するプルダウンリストである。５０４は保存するファイル名を入力するテキストボックス、５０５は保存するファイルの種類を選択するプルダウンリストで、通常はＰＤＦファイルが選択されているが、ＪＰＥＧ、ＢＭＰ、ＴＩＦＦ等の他の形式を指定することもできる。５０６はファイルの保存先フォルダを表示するテキストボックス、５０７は保存先フォルダを選択するためのダイアログ５１２を表示するための参照ボタンであり、図４のボタン３０６に対応して各々保存先フォルダを登録している。５０９はスキャンした画像をどのアプリケーションで表示するかを設定するボタンであり、ここではＡｄｏｂｅ社のＡｃｒｏｂａｔＲｅａｄｅｒを選択している。５０８はアプリケーションの設定を解除するボタンで、読取後の画像の表示は行われず、保存のみ行われる。画像読取装置１００の操作部にあるボタン３０１〜３０４についても、夫々の動作に応じて同様に個別に設定することが可能である。
【００２０】
適用ボタン５１１を押すと、５０６のテキストボックスで示された保存先フォルダの名称を画像読取装置１００の表示部のＬＣＤ３０５にビットマップ表示するためのＢＭＰデータに変更する処理を行う。この時に、表１に示す様に、複数のＰＤＦボタン３０６に対して、それぞれの保存先フォルダ名と、保存先フォルダのパスと、表示用のＢＭＰデータとを対応させたテーブルを作成する。画像読取装置１００の操作部にあるＰＤＦボタン３０６を押すと、画像読取装置１００と外部装置１５０が通信を行い、表１のテーブルを参照し、保存先のフォルダ名のＢＭＰデータを画像読取装置に送信する。送信されたデータは、画像読取装置のＬＣＤ１１８に表示される。
【００２１】
【表１】
2006157249.tif 000003
【００２２】
図６に示すフローチャートに沿って、画像読取装置１００の操作部のボタンを押下したときの動作を説明する。ここでは、予め図５の適用ボタンにより複数の保存先フォルダが設定され、コンピュータには、表１のテーブルと、各ＰＤＦボタンに対応した表示用のＢＭＰデータが保存されている場合を前提としている。まず、ステップ６０１にてコンピュータ１５０を起動し（Ｓ６０１）、ステップ６０２にて画像読取装置１００の電源を投入するとと、コンピュータ１５０は、画像読取装置が接続されていることを検出し、読取動作の前に、照明制御等の初期設定を行う（Ｓ６０２）。そしてステップ６０３で、ボタンモニタ４０６がボタン検知を開始する。ボタンモニタ４０６は、インタフェースを介して、定期的に画像読取装置１００の操作入力部１２０の複数のボタンの状態を監視する（Ｓ６０３）。ステップ６０４にて、画像読取装置１００の操作部のＰＤＦボタン３０６が押下された場合、ボタンモニタ４０６が押されたボタンを検知し、押されたボタンの情報をファイル作成ソフト４０１に通知する（Ｓ６０４）。ステップ６０５にてファイル作成ソフト４０１は、テーブル（表１）を参照し、押されたボタンに対応したフォルダ名のＢＭＰデータを取得する（Ｓ６０５）。ステップ６０６にて、画像読取装置へ取得したＢＭＰデータを送信し、画像読取装置１００のＶＲＡＭ１１９に書き込む（Ｓ６０６）。ＶＲＡＭ１１９に書き込まれた保存先フォルダ名のＢＭＰデータはＬＣＤ１１８に表示される。
【００２３】
次にステップ６０７にて、ＳＴＡＲＴボタン３０４が押された場合（Ｓ６０７）、ステップ６０８にて、ボタンモニタ４０６がＳＴＡＲＴボタン押下である情報をファイル作成ソフト４０１に通知し、ファイル作成ソフトは設定されている読取条件で画像の読取を開始する（Ｓ６０８）。ステップ６０９にて、画像の読取終了後、ステップ６０６にて表示した保存先フォルダに読取画像を保存する（Ｓ６０９）。同名のファイルが存在する場合には、０００１、０００２，・・・と番号をファイル名に付加して保存する。ステップ６１０にて、スキャンした画像を開くアプリケーションの設定がある場合（Ｓ６１０）、ステップ６１１にて、設定されたアプリケーションに読取画像を渡し、アプリケーション上で読取画像が表示される（Ｓ６１１）。アプリケーションの設定がない場合、ステップ６１２にて保存先のフォルダを開いて表示することで、操作者は、読取画像のファイル名が新たに追加されているのを確認できる（Ｓ６１２）。
【００２４】
なお、図６のフローでは図示していないが、ステップ６０４でのＰＤＦボタンの検出がされていない状態で、ステップ６０７にてＳＴＡＲＴボタンの押下を検出した場合には、ファイル名と保存先フォルダを設定するためのダイアログを表示し、設定入力後に画像読取りを開始し、設定された保存先フォルダに保存する。また、電源投入後の初期設定で、デフォルトのＰＤＦボタンが押された状態に設定して、対応の保存先フォルダを表示しておくこともできる。
【００２５】
図７に、ファイル作成ソフト４０１が保存先フォルダを登録するときの動作をフローチャートに沿って説明する。図５にて説明したように、ステップ７０１にて参照ボタン５０７を押下し、フォルダ選択ダイアログ５１２を表示する（Ｓ７０１）。ステップ７０２にて、操作者は保存先フォルダを選択する。保存先のフォルダが選択されると、ＰＤＦボタンと、フォルダ名と、フォルダのパスとを表１に示すテーブルに登録する（Ｓ７０２）。ステップ７０３にて、設定するすべての保存先フォルダの登録が終了した場合（Ｓ７０３）、ステップ７０４にて適用ボタン５１１を押す（Ｓ７０４）。ステップ７０５では、表１のテーブルから各ＰＤＦボタンに対応する保存先フォルダの名称を取得し、これをＯＳ（Ｗｉｎｄｏｗｓ（登録商標））の関数ＧｅｔＧｌｙｐｙＯｕｔｌｉｎｅ（）により、ＯＳが管理しているフォントを用いてテキストデータからＢＭＰデータに変換して保存する（Ｓ７０５）。このＢＭＰデータを用いることにより、画像読取装置側に各国語フォントのキャラクタジェネレータを搭載しないでも、ＬＣＤ１１８には、コンピュータ１５０で表示されているフォルダ名を表示国語に対応してそのまま表示することができる。そしてステップ７０６にて、表１のテーブルの複数のＰＤＦボタン３０６に対して、それぞれの保存先フォルダ名のＢＭＰデータを対応させて追加して保存する（Ｓ７０６）。
【００２６】
表１は、画像読取装置１００の操作部１２０にある各ＰＤＦ１〜ＰＤＦ１０のボタン３０６に対応した保存先フォルダ名のテーブルである。第一列は画像読取装置１００の操作部にあるボタン名、第二列は各ボタンに対応した保存先フォルダ名、第三列は保存先フォルダのパスで、第四列は、第二列のフォルダ名をビットマップに変換したＢＭＰデータの識別データを示す。
【００２７】
（実施例２）
図８に第２の実施例の画像読取装置８００と画像処理装置としてのコンピュータの構成を示すブロック図を示す。８図において、画像読取装置８００が図１の画像読取装置１００と異なるところは、図１のスキャナコントローラ１０９に替わってＣＰＵ８０９を用いたことであり、ＣＰＵ８０９にはプログラムを格納するためのＲＯＭ（８０９−１）とワークエリアとして使用するＲＡＭ（８０９−２）を内蔵する。他は同じで、符号は図１の１００番代にかえて８００番代を付している。
【００２８】
図９は本発明の実施例２に関して、スキャナボタンを押下したときの動作を説明するフローチャートである。まず、ステップ９０１にてコンピュータ（１５０）を起動し（Ｓ９０１）、ステップ９０２にて画像読取装置（８００）の電源を入れコンピュータ（１５０）と接続する。このとき、デバイスドライバ（４０３）がイニシャライズの動作を行なう（Ｓ９０２）。ここまでは図６と同じである。次にステップ９０３にて、予め作成しておいた保存先フォルダ名の表１のテーブルと、各ＰＤＦボタンに対応した表示用のＢＭＰデータを画像読取装置（８００）に送信する。送信されたデータはＣＰＵ（８０９）がＲＡＭ（８０９−２）に保存する（Ｓ９０３）。そしてステップ９０４にて、ボタンモニタ（４０６）がボタン検知を開始する（Ｓ９０４）。ステップ９０５にて、操作部のＰＤＦボタン（４０６）が押下されたのを検出した場合（Ｓ９０５）、ステップ９０６にて、押されたボタンに対応したフォルダ名ＢＭＰデータをＣＰＵのＲＡＭ（８０９−２）から呼び出し、ＶＲＡＭ（８１９）に書き込む。ＶＲＡＭ（８１９）に書き込まれたフォルダ名のＢＭＰデータはＬＣＤ（８１８）に表示される（Ｓ９０６）。Ｓ９０７〜Ｓ９１２までの動作は実施例１と同様である。
【００２９】
図１０は本発明の実施例２に関して、ファイル作成ソフト（４０１）が保存先フォルダを登録するときの動作を説明するフローチャートである。ステップ１００１からステップ１００６までは、図７のステップ７０１からステップ７０６までと同じで、実施例２ではさらにステップ１００７にて、ステップ１００６で保存したフォルダ名の表１のテーブルとＢＭＰデータを画像読取装置（１００）に送信する。送信したデータはＣＰＵ（８０９）によりＲＡＭ（８０９−２）に保存される（Ｓ１００７）。
【００３０】
以上に示す様に、実施例２では、保存先フォルダが新しく登録される度に、新しいテーブルとＢＭＰデータが画像読取装置に記憶されるので、ＰＤＦボタン３０６の押下に対応したＬＣＤ３０５でのＢＭＰデータの表示を迅速に行うことができる。
【００３１】
（実施例３）
画像読取装置（１００）の操作部に、図３とは別のものを用いた例を図１１に示す。３１１〜３１４はスキャナボタン、３１５はスキャン画像の保存先フォルダを表示するためのＬＣＤであり、図３と同じである。３１６はＬＣＤ（３１５）に表示される「保存先フォルダ」の文字列の表示を切り替える上下キーであり、上ボタン、下ボタンに従って、表１のフォルダ名の表示行の上下を選択して、対応のＢＭＰデータをＬＣＤ３１５に表示する。ここでは、表１の６行目を示す「ＰＤＦ６：」も付加して表示している。ここでＳＴＡＲＴボタン（３１４）を押すと原稿画像の読取が開始され、ＬＣＤ（４１５）に表示されている保存先フォルダにスキャン画像が保存される。図３に比べて操作部の面積を小さくでき、ボタンの数を少なくできるとともに、登録できるフォルダ数の上限はＰＤＦボタンの数に制限されない。
【００３２】
（その他の実施例）
上記の実施例では、ＬＣＤに表示するデータをフォルダ名のみ、あるいは、表の行番号を付加して表示したが、フォルダのパスをＢＭＰデータとして作成しておいて表示することもできる。また、フォルダの情報に限らず、解像度やカラーモード（カラー／グレー／白黒）、原稿サイズ（Ａ４／Ｂ５など）やファイル形式（ＰＤＦ／ＪＰＥＧなど）といったスキャン設定の情報をＢＭＰデータとして作成しておいて表示することもできる。また、表示するＢＭＰデータがＬＣＤの表示領域よりも長いときには、自動でスクロールさせるか、スクロールボタンを用いることもできる。
【００３３】
登録できるフォルダは、表１の例ではコンピュータ１５０のＣドライブ以下のものを例示しているが、これに限らず、コンピュータ１５０からパスで指定して記録ができる記録装置のフォルダであれば、登録できる。たとえば、ネットワークを介して繋がっているファイルサーバのフォルダや、ネットワークを介して繋がっている他のコンピュータに設定されている「共有フォルダ」であっても、操作者に記録の許可があれば登録することができる。
【図面の簡単な説明】
【００３４】
【図１】本実施例１の画像読取装置のハード構成を示す図である。
【図２】本実施例１の画像読取装置のメカ構成の平面図である。
【図３】本実施例１の画像読取装置の操作部を示す図である。
【図４】本実施例１の画像読取装置を制御するソフトウェア構成図である。
【図５】本実施例１の画像読取装置を制御するアプリケーションのユーザインターフェースを示す図である。
【図６】本実施例１における画像読取装置のボタンを押下したときの動作を説明するフローチャートである。
【図７】本実施例１における保存先フォルダを登録する動作を説明するフローチャートである。
【図８】本実施例２の画像読取装置のハード構成を示す図である。
【図９】本実施例２の画像読取装置のボタンを押下したときの動作を説明するフローチャートである。
【図１０】本実施例２における保存先フォルダを登録する動作を説明するフローチャートである。
【図１１】本実施例３の画像読取装置の操作部を示す図である。
【図１２】従来の画像読取装置の外観図である。
【符号の説明】
【００３５】
１００  画像読取装置
１５０  コンピュータ（画像処理装置）
１１８、３０５  ＬＣＤ（表示器）
１２０  操作部
３０４  スタートボタン
３０６  ＰＤＦボタン
【図１】
2006157249.tif 000004
【図２】
2006157249.tif 000005
【図３】
2006157249.tif 000006
【図４】
2006157249.tif 000007
【図５】
2006157249.tif 000008
【図６】
2006157249.tif 000009
【図７】
2006157249.tif 000010
【図８】
2006157249.tif 000011
【図９】
2006157249.tif 000012
【図１０】
2006157249.tif 000013
【図１１】
2006157249.tif 000014
【図１２】
2006157249.tif 000015